(57)【要約】  マスター回折格子の製造装置は、光源部と、反射部材１１とを備える。光源部は、マスター基板１０１の基板表面に向けて光を照射することにより第１干渉縞を形成する。反射部材１１は、マスター基板１０１の基板表面で反射した光源部からの光を反射させ、基板表面側に再度導くことにより第２干渉縞を形成する。第１干渉縞及び第２干渉縞に基づくレジストパターンが、マスター基板１０１の基板表面に形成される。
2019244274.tif 000002
【特許請求の範囲】
【請求項１】
レプリカ回折格子を製造する際の母型となるマスター回折格子の製造装置であって、
マスター基板の基板表面に向けて光を照射することにより第１干渉縞を形成するための光源部と、
前記マスター基板の基板表面で反射した前記光源部からの光を反射させ、前記基板表面に再度導くことにより第２干渉縞を形成するための反射部材とを備え、
前記第１干渉縞及び前記第２干渉縞に基づくレジストパターンが、前記マスター基板の基板表面に形成されることを特徴とするマスター回折格子の製造装置。
【請求項２】
前記反射部材は、前記光源部からの光の光軸に対して、前記第１干渉縞が延びる方向に平行な方向に沿ってずれた位置に配置されていることを特徴とする請求項１に記載のマスター回折格子の製造装置。
【請求項３】
前記光源部は、集光レンズと、前記集光レンズにより集光された光が通過するピンホールと、前記ピンホールを通過した光を平行光にするための凹面鏡とを有し、
前記反射部材は、前記凹面鏡と前記マスター基板の基板表面との間に配置されていることを特徴とする請求項２に記載のマスター回折格子の製造装置。
【請求項４】
レプリカ回折格子を製造する際の母型となるマスター回折格子の製造方法であって、
光源部からマスター基板の基板表面に向けて光を照射することにより第１干渉縞を形成するとともに、前記マスター基板の基板表面で反射した前記光源部からの光を反射部材で反射させ、前記基板表面に再度導くことにより第２干渉縞を形成し、前記第１干渉縞及び前記第２干渉縞に基づくレジストパターンを前記マスター基板の基板表面に形成するレジストパターン形成ステップと、
前記レジストパターンをマスクとしてエッチングを行うことにより、前記マスター基板の基板表面に格子溝を有する格子パターンを形成する格子パターン形成ステップと、
前記格子パターン上に金属薄膜を成膜する成膜ステップとを含むことを特徴とするマスター回折格子の製造方法。
【請求項５】
前記反射部材は、前記光源部からの光の光軸に対して、前記第１干渉縞が延びる方向に平行な方向に沿ってずれた位置に配置されていることを特徴とする請求項４に記載のマスター回折格子の製造方法。
【請求項６】
前記光源部は、集光レンズと、前記集光レンズにより集光された光が通過するピンホールと、前記ピンホールを通過した光を平行光にするための凹面鏡とを有し、
前記反射部材は、前記凹面鏡と前記マスター基板の基板表面との間に配置されていることを特徴とする請求項５に記載のマスター回折格子の製造方法。
【発明の詳細な説明】
【技術分野】
【０００１】
本発明は、レプリカ回折格子を製造する際の母型となるマスター回折格子の製造装置及び製造方法に関するものである。
【背景技術】
【０００２】
回折格子を量産する際などに、マスター回折格子を製作し、当該マスター回折格子を用いてレプリカ回折格子を製作する方法が一般的に知られている（例えば、下記特許文献１参照）。【０００３】
マスター回折格子を製作する際には、まず、マスター回折格子の本体となるマスター基板の基板表面にフォトレジスト層を形成し、当該フォトレジスト層を露光することにより表面にレジストパターンを形成する。そして、当該レジストパターンをマスクとしてエッチングを行うことにより、基板表面にブレーズ状（鋸歯状）の格子溝を有する格子パターンを形成する。その後、格子パターン上に金属薄膜を成膜することにより、当該金属薄膜により格子面が形成されたマスター回折格子を製作することができる。【０００４】
上記のようにして製作されたマスター回折格子を用いてレプリカ回折格子を製作する際には、まず、マスター回折格子における金属薄膜の表面（格子面）に離型剤層を形成し、当該離型剤層上に金属薄膜を成膜する。そして、レプリカ回折格子の本体となるレプリカ基板の表面に熱硬化型エポキシ樹脂などの接着剤を塗布し、当該接着剤を介して、レプリカ基板をマスター回折格子の表面に形成された金属薄膜に接着する。【０００５】
その後、離型剤層において剥離させることにより、離型剤層上の金属薄膜をマスター基板からレプリカ基板に転写させ、レプリカ回折格子を製作することができる。続けてレプリカ回折格子を製作する場合には、マスター回折格子の表面に離型剤層を再度形成し、当該離型剤層上に金属薄膜を成膜した後、上記と同様の作業を行うこととなる。
【先行技術文献】
【特許文献】
【０００６】
【特許文献１】特開２０１４−２１５３７５号公報
【発明の概要】
【発明が解決しようとする課題】
【０００７】
上記のように、マスター回折格子は、レプリカ回折格子を製造する際の母型となるものであり、マスター回折格子を用いて製造されたレプリカ回折格子が正規品となる。しかしながら、マスター回折格子を用いることなく、レプリカ回折格子を母型としてレプリカ回折格子を複製することにより、偽造品を製造することも可能である。従来は、このようにして偽造されたレプリカ回折格子について、偽造品であるか否かを確認することができないという問題があった。【０００８】
本発明は、上記実情に鑑みてなされたものであり、レプリカ回折格子が偽造品であるか否かを容易に確認することができるマスター回折格子の製造装置及び製造方法を提供することを目的とする。
【課題を解決するための手段】
【０００９】
（１）本発明に係るマスター回折格子の製造装置は、レプリカ回折格子を製造する際の母型となるマスター回折格子の製造装置であって、光源部と、反射部材とを備える。前記光源部は、マスター基板の基板表面に向けて光を照射することにより第１干渉縞を形成する。前記反射部材は、前記マスター基板の基板表面で反射した前記光源部からの光を反射させ、前記基板表面に再度導くことにより第２干渉縞を形成する。前記第１干渉縞及び前記第２干渉縞に基づくレジストパターンが、前記マスター基板の基板表面に形成される。【００１０】
このような構成によれば、マスター基板の基板表面に向けて光を照射することにより形成された第１干渉縞だけでなく、マスター基板の基板表面で反射した光を反射部材で反射させ、基板表面に再度導くことにより形成された第２干渉縞も用いて、マスター基板の基板表面にレジストパターンが形成される。このようにして製造されたマスター回折格子を母型としてレプリカ回折格子を製造した場合、そのレプリカ回折格子の格子面に特定波長の光を特定方向から照射すると、反射部材からの反射光に対応する形状の目印が特定方向に映し出される。したがって、目印が映し出されるか否かに基づいて、レプリカ回折格子が偽造品であるか否かを容易に確認することができる。【００１１】
（２）前記反射部材は、前記光源部からの光の光軸に対して、前記第１干渉縞が延びる方向に平行な方向に沿ってずれた位置に配置されていてもよい。【００１２】
このような構成によれば、製造されたマスター回折格子を母型として製造されたレプリカ回折格子の格子面に特定波長の光を特定方向から照射したときに、当該格子面による波長の分散方向とは異なる方向に目印が映し出される。これにより、目印が映し出されない場合と同様の性能で波長を分散させることができるため、レプリカ回折格子の本来の性能が損なわれるのを防止することができる。【００１３】
（３）本発明に係るマスター回折格子の製造方法は、レプリカ回折格子を製造する際の母型となるマスター回折格子の製造方法であって、レジストパターン形成ステップと、格子パターン形成ステップと、成膜ステップとを含む。前記レジストパターン形成ステップでは、光源部からマスター基板の基板表面に向けて光を照射することにより第１干渉縞を形成するとともに、前記マスター基板の基板表面で反射した前記光源部からの光を反射部材で反射させ、前記基板表面に再度導くことにより第２干渉縞を形成し、前記第１干渉縞及び前記第２干渉縞に基づくレジストパターンを前記マスター基板の基板表面に形成する。前記格子パターン形成ステップでは、前記レジストパターンをマスクとしてエッチングを行うことにより、前記マスター基板の基板表面に格子溝を有する格子パターンを形成する。前記成膜ステップでは、前記格子パターン上に金属薄膜を成膜する。
【発明の効果】
【００１４】
本発明によれば、製造されたマスター回折格子を母型としてレプリカ回折格子を製造した場合、そのレプリカ回折格子の格子面に特定波長の光を特定方向から照射すると、反射部材からの反射光に対応する形状の目印が特定方向に映し出されるため、目印が映し出されるか否かに基づいて、レプリカ回折格子が偽造品であるか否かを容易に確認することができる。
【図面の簡単な説明】
【００１５】
【図１】本発明の一実施形態に係るマスター回折格子の製造方法を段階的に示した概略断面図である。
【図２】マスター回折格子の製造装置の一例を示した概略図である。
【図３】第２干渉縞を形成する方法について説明するための概略平面図である。
【図４】第２干渉縞を形成する方法について説明するための概略側面図である。
【図５】ホログラムを再生する際の態様について説明するための概略図である。
【発明を実施するための形態】
【００１６】
１．マスター回折格子の製造方法
図１は、本発明の一実施形態に係るマスター回折格子１００の製造方法を段階的に示した概略断面図である。マスター回折格子１００は、回折格子を量産する際などに母型として用いられるものであり、当該マスター回折格子を用いて複数のレプリカ回折格子を製作することができる。
【００１７】
マスター回折格子１００を製作する際には、まず、図１（ａ）及び（ｂ）に示すように、マスター基板１０１の基板表面にフォトレジスト層１０２が形成される（レジスト層形成ステップ）。マスター基板１０１としては、例えばＢＫ７又は石英ガラスなどからなるガラス基板を用いることができる。
【００１８】
マスター基板１０１の基板表面に形成されたフォトレジスト層１０２は、例えばホログラフィック露光法などを用いて干渉縞が露光されることにより、図１（ｃ）に示すように、その表面にレジストパターンが形成される（レジストパターン形成ステップ）。本実施形態では、このレジストパターン形成ステップにおけるレジストパターンの形成方法に特徴がある。レジストパターンの具体的な形成方法については後述する。
【００１９】
レジストパターンが形成されたマスター基板１０１の表面には、エッチングが施されることにより、図１（ｄ）に示すように、基板表面に格子溝を有する格子パターン１０３が形成される。エッチングの方法としては、例えばイオンビームエッチングを例示することができる。レジストパターンをマスクとしてエッチングを行うことにより、図１（ｄ）に示すように、マスター基板１０１の基板表面にブレーズ状（鋸歯状）の格子溝を形成することができる（格子パターン形成ステップ）。
【００２０】
その後、格子パターン１０３上に金属薄膜１０４を形成することにより、格子パターン１０３全体が金属薄膜１０４で覆われ、当該金属薄膜１０４の表面に格子面が形成される（成膜ステップ）。金属薄膜１０４は、例えばアルミニウム、金又は白金などにより格子パターン１０３上に成膜することができる。
【００２１】
上記のような製作工程により、レプリカ回折格子のレプリカ基板に金属薄膜を転写させるためのマスター基板１０１を有するマスター回折格子１００を製作することができる。製作されたマスター回折格子１００は、図１（ｅ）に示すように、マスター基板１０１の基板表面上に、金属薄膜１０４が形成された構成となっている。
【００２２】
２．マスター回折格子の製造装置
図２は、マスター回折格子１００の製造装置１の一例を示した概略図である。この製造装置１は、レーザ光源２、平面鏡３、ビームスプリッタ４、平面鏡７、スペイシャルフィルタ８、凹面鏡９及び平面鏡１０などを備えている。第１光源部５及び第２光源部６は、スペイシャルフィルタ８及び凹面鏡９などにより構成されており、同一の部材が互いに対称配置された構成である。
【００２３】
レーザ光源２から出射されるレーザ光は、平面鏡３で反射した後、ビームスプリッタ４に入射する。このとき、ビームスプリッタ４で反射したレーザ光は、一方の平面鏡７で反射して第１光源部５側へと導かれ、ビームスプリッタ４を透過したレーザ光は、他方の平面鏡７で反射して第２光源部６側へと導かれる。第１光源部５及び第２光源部６のそれぞれにおいて、ビームスプリッタ４からのレーザ光はスペイシャルフィルタ８に入射する。
【００２４】
スペイシャルフィルタ８は、集光レンズ８１及びピンホール８２を含む。スペイシャルフィルタ８に入射するレーザ光は、集光レンズ８１により集光され、その集光位置に配置されたピンホール８２を通過する。これにより、干渉縞に生じるノイズを抑制することができるため、より良好にレジストパターンを形成することが可能になる。
【００２５】
スペイシャルフィルタ８を通過したレーザ光は、凹面鏡９で反射することにより平行光とされた後、平面鏡１０で反射し、マスター基板１０１側へと導かれる。上述の通り、マスター基板１０１の基板表面にはフォトレジスト層１０２が予め形成されており、このフォトレジスト層１０２に平面鏡１０からのレーザ光が照射されることにより、レジストパターンが形成される。
【００２６】
このとき、第１光源部５及び第２光源部６の両方からフォトレジスト層１０２にレーザ光が照射されるため、２光束干渉により干渉縞が得られ、この干渉縞に対応する箇所のレジストが感光する。ただし、２光束干渉に限らず、３光束以上を干渉させることにより干渉縞を形成するような構成であってもよい。
【００２７】
このように、レーザ光源２、平面鏡３、ビームスプリッタ４、平面鏡７、第１光源部５及び第２光源部６、平面鏡１０は、マスター基板１０１の基板表面に向けてレーザ光を照射することにより干渉縞（第１干渉縞）を形成するための光源部を構成している。本実施形態では、第１干渉縞とは別に第２干渉縞を形成し、第１干渉縞及び第２干渉縞に基づくレジストパターンをマスター基板１０１の基板表面に形成する点を特徴としている。
【００２８】
３．第２干渉縞の形成方法
図３及び図４は、第２干渉縞を形成する方法について説明するための概略図である。図３は概略平面図を示しており、図４は概略側面図を示している。図３及び図４では、説明を分かりやすくするために、ピンホール８２とマスター基板１０１との位置関係を簡略的に示しており、一部の部材を省略している。
【００２９】
各ピンホール８２からマスター基板１０１の基板表面に向かうレーザ光の光軸は、図３に示すように、基板表面に垂直な方向に対して対称に延びている。上述した第１干渉縞は、各ピンホール８２からマスター基板１０１の基板表面（フォトレジスト層１０２上）に直接照射されるレーザ光が互いに干渉することにより形成される。このようにして形成される第１干渉縞は、１対のピンホール８２が並ぶ方向Ｄ１に対して垂直な方向Ｄ２に沿って延び、この方向Ｄ２が、最終的に製作されるマスター回折格子１００の格子パターン１０３における各格子溝が延びる方向となる。一方、方向Ｄ１は、最終的に製作されるマスター回折格子１００の格子パターン１０３における波長の分散方向となる。この分散方向は、マスター回折格子１００を母型として製作されるレプリカ回折格子における波長の分散方向と一致している。
【００３０】
第２干渉縞は、マスター基板１０１の基板表面で反射したレーザ光を基板表面側に再度反射させることにより形成される。そのために、本実施形態では、マスター基板１０１の基板表面で反射したレーザ光を反射させ、基板表面側に再度導くための反射部材１１が設けられている。
【００３１】
反射部材１１は、図４に示すように、基板表面に垂直な軸上に位置するピンホール８２に対して波長の分散方向Ｄ１に垂直な方向Ｄ２にずらして配置される。これにより、マスター基板１０１の基板表面に到達する光束領域を避けた位置に反射部材１１が配置されている。すなわち、反射部材１１は、レーザ光の光軸に対して、第１干渉縞が延びる方向Ｄ２に平行な方向に沿ってずれた位置（波長の分散方向に対して直交方向に沿ってずれた位置）に配置されている。なお、図３では、説明を分かりやすくするために、反射部材１１の位置を実際とは異なる位置に示している。
【００３２】
図３に示すように、第２干渉縞を形成する際、一方のピンホール８２１を通過したレーザ光（破線で示す。）は、マスター基板１０１の基板表面で反射した後、反射部材１１の反射面１１１で反射し、基板表面側に再度導かれる。他方のピンホール８２２を通過したレーザ光（実線で示す。）は、マスター基板１０１の基板表面で反射した後、一方のピンホール８２１における開口の周縁部で反射し、基板表面側に再度導かれる。これにより、一方のピンホール８２１を通過したレーザ光と、他方のピンホール８２２を通過したレーザ光とが、光路長が同一になる位置で互いに干渉し、第２干渉縞が形成される。
【００３３】
本実施形態では、ピンホール８２１における開口の周縁部に、例えばアルミなどの金属からなる反射面８３が形成されている。これにより、他方のピンホール８２２を通過したレーザ光（実線で示す。）は、一方のピンホール８２１における反射面８３で反射して基板表面側に導かれるようになっている。ただし、このような構成に限らず、他方のピンホール８２２を通過したレーザ光を基板表面側に反射させるための反射部材が、一方のピンホール８２１の近傍に設けられていてもよい。
【００３４】
このように、本実施形態では、レーザ光源２からレーザ光を出射させることにより、第１干渉縞及び第２干渉縞を同時に形成することができる。これにより、レジストパターン形成ステップでは、第１干渉縞及び第２干渉縞に基づくレジストパターン１０２がマスター基板１０１の基板表面に形成される。その結果、格子パターン形成ステップでは、反射部材１１の存在がホログラムとして加味された格子パターン１０３がマスター基板１０１の基板表面に形成される。
【００３５】
最終的に製作されたマスター回折格子１００を母型としてレプリカ基板を製作した場合、そのレプリカ基板の格子面に対して特定波長の光を特定方向から照射すると、反射部材１１からの反射光に対応する形状の目印が特定方向に映し出されることにより、ホログラムが再生される。
【００３６】
４．ホログラムの再生
図５は、ホログラムを再生する際の態様について説明するための概略図である。ホログラムを再生する際には、ホログラム再生用光源１２からレプリカ回折格子２００の格子面２０１に特定波長の光が照射される。レプリカ回折格子２００の格子面２０１に照射された光は、その照射方向に応じた特定の方向に反射される。そのため、光の反射方向に紙などの媒体１３を配置しておけば、その媒体１３に反射光と共にホログラムを再生することができる。
【００３７】
再生されるホログラムは、反射部材１１からの反射光に対応する形状の目印となる。したがって、例えば反射部材１１が均一な反射率を有する円形状の反射面１１１を有する場合には、反射光と共に円形状の目印が媒体１３に映し出される。目印が媒体１３に映し出されるか否かに基づいて、レプリカ回折格子２００が偽造品であるか否かを容易に確認するという観点によれば、反射部材１１の反射面１１１には、部分的に反射率が異なる肖形部（図示せず）が形成されていることが好ましい。この場合、肖形部の形状が目印として媒体１３に映し出されることとなる。
【００３８】
５．作用効果
（１）本実施形態では、マスター基板１０１の基板表面に向けてレーザ光を照射することにより形成された第１干渉縞だけでなく、マスター基板１０１の基板表面で反射したレーザ光を反射部材１１で反射させ、基板表面に再度導くことにより形成された第２干渉縞も用いて、マスター基板１０１の基板表面にレジストパターンが形成される。このようにして製造されたマスター回折格子１００を母型としてレプリカ回折格子２００を製造した場合、そのレプリカ回折格子２００の格子面２０１に特定波長の光を特定方向から照射すると、反射光と共に反射部材１１からの反射光に対応する形状の目印が特定方向に映し出される。したがって、目印が映し出されるか否かに基づいて、レプリカ回折格子２００が偽造品であるか否かを容易に確認することができる。
【００３９】
（２）本実施形態では、反射部材１１が、各ピンホール８２からのレーザ光の光軸に対して、第１干渉縞が延びる方向Ｄ２に平行な方向に沿ってずれた位置に配置されている。そのため、製造されたマスター回折格子１００を母型として製造されたレプリカ回折格子２００の格子面２０１に特定波長の光を特定方向から照射したときに、当該格子面２０１による波長の分散方向Ｄ１とは異なる方向に目印が映し出される。これにより、目印が映し出されない場合と同様の性能で波長を分散させることができるため、レプリカ回折格子２００の本来の性能が損なわれるのを防止することができる。
【００４０】
（３）反射部材１１は、凹面鏡９とマスター基板１０１の基板表面との間に配置されていてもよい。この場合、凹面鏡９によりレーザ光が平行光とされるため、平行光を反射部材１１で反射させ、基板表面に再度導くことにより、第２干渉縞を形成することができる。このようにして第２干渉縞を形成した場合、製造されたマスター回折格子１００を母型として製造されたレプリカ回折格子２００の格子面２０１に特定波長の光を特定方向から照射したときに、当該格子面２０１による波長の分散方向Ｄ１に対して、より離れた位置に目印が映し出される。これにより、レプリカ回折格子２００の本来の性能が損なわれるのを効果的に防止することができる。
【００４１】
６．変形例
以上の実施形態では、光源部が、平面鏡７及び平面鏡１０を含むような構成について説明した。しかし、このような構成に限らず、光源部は、干渉縞を形成することができるような構成であれば、上記のいずれかの部材が省略されていてもよいし、他の部材が含まれていてもよい。
【００４２】
マスター回折格子１００及びレプリカ回折格子２００は、平面上に格子パターンが形成された平面回折格子に限らず、凹湾曲面上に格子パターンが形成された凹面回折格子であってもよい。
【符号の説明】
【００４３】
１      マスター回折格子の製造装置
２      レーザ光源
３      平面鏡
４      ビームスプリッタ
５      第１光源部
６      第２光源部
７      平面鏡
８      スペイシャルフィルタ
９      凹面鏡
１０    平面鏡
１１    反射部材
１２    ホログラム再生用光源
１３    媒体
８１    集光レンズ
８２    ピンホール
８３    反射面
１００  マスター回折格子
１０１  マスター基板
１１１  反射面
２００  レプリカ回折格子
２０１  格子面
【図１】
2019244274.tif 000003
【図２】
2019244274.tif 000004
【図３】
2019244274.tif 000005
【図４】
2019244274.tif 000006
【図５】
2019244274.tif 000007
【国際調査報告】
2019244274.tif 000008
2019244274.tif 000009
2019244274.tif 000010
2019244274.tif 000011